(57)【特許請求の範囲】
【請求項１】
容器の吐出口を閉塞する筒体と、前記容器中の内容液が外部へ流出可能に前記筒体に開口され、容器の転倒時に内容液を流出させず、所定の要件下で内容液を流出させる注ぎ手段と、を有する注ぎキャップにおいて、
前記キャップの外周部に設けられた筒状のスカートと前記スカートの内側に配設され前記吐出口内へ延出する環状のリテーナが前記容器の開口縁を挟持し前記リテーナの内側に筒体が設けられ、
前記注ぎ手段が、前記筒体の周壁の長手方向に沿って形成され前記容器が前記注ぎ手段を下にして真横に転倒したとき開口面と液面が略平行となり前記周壁の長手方向両端の圧力水頭差が容器内へ外部から空気が流入しないように設定されたことを有することを特徴とする注ぎキャップ。
【請求項２】
前記筒体の周壁の周方向に沿った前記注ぎ手段の開口幅が前記容器が前記注ぎ手段を真横にして転倒したとき前記周壁の幅方向両端の圧力水頭差が液体の表面張力より小さくなるように設定され、少なくとも容器内へ外部から空気が流入しないように設定されたことを特徴とする請求項１に記載の注ぎキャップ。
【請求項３】
前記注ぎ手段が、前記筒体の周壁の長手方向に沿って開口された長孔で構成されたことを特徴とする請求項１または請求項２に記載の注ぎキャップ。
【請求項４】
前記注ぎ手段が、前記筒体の周壁の長手方向に沿って穿設された少なくとも２つ以上の孔からなる開口から構成されたことを特徴とする請求項１または請求項２に記載の注ぎキャップ。
【発明の詳細な説明】
【０００１】
【産業上の利用分野】
本発明は、容器の吐出口に取付けられる注ぎキャップに関する。
【０００２】
【従来の技術】
栓が外された容器の吐出口に取付けられ、容器が転倒しても内容液が流出せず、一定条件下で、内容液が注ぎ口から流出する注ぎキャップが提案されている（実公昭３６−８９２号公報参照）。
【０００３】
この注ぎキャップ５０には、図９に示すように、容器５２の吐出口５４に圧入される筒体５６と、この筒体５６の上部開口を閉塞する蓋５８とで構成されている。この蓋５８には、筒体５６と連通する孔６０、６２が穿設されており、図１０に示すように、容器５２が転倒した際、孔６０と孔６２とが水平線上に位置し、圧力水頭ｈの差が０になるように、容器５２が偏平型となっている。
【０００４】
このとき、内圧Ｐ’と圧力水頭ｈの合計が大気圧Ｐと釣り合っているため、大気中の空気が孔６０あるいは孔６２から容器５２内へ流入できず、孔６０、６２から溶液が溢れない。
【０００５】
一方、孔６０あるいは孔６２から溶液を流出させるには、図１１に示すように、容器５２を立てて、孔６０と孔６２が上下に位置するようにすると、孔６０の圧力水頭ｈ１  と孔６２の圧力水頭ｈ２  とにΔｈの圧力水頭差を生じ、孔６０から容器５２内に空気が流入し、孔６２から溶液が流出するようになっている。
【０００６】
しかしながら、上記のような注ぎキャップ５０では、適用できる容器の形状が限定され、デザインの自由度が小さく、また、汎用性もない。
【０００７】
【発明が解決しようとする課題】
本発明は上記事実を考慮し、容器の形状に左右されず、汎用性に優れ液溢れ防止機能を有する注ぎキャップを提供することを目的とする。
【０００８】
【課題を解決するための手段】
請求項１に記載の注ぎキャップは、容器の吐出口を閉塞する筒体と、前記容器中の内容液が外部へ流出可能に前記筒体に開口され、容器の転倒時に内容液を流出させず、所定の要件下で内容液を流出させる注ぎ手段と、を有する注ぎキャップにおいて、前記キャップの外周部に設けられた筒状のスカートと前記スカートの内側に配設され前記吐出口内へ延出する環状のリテーナが前記容器の開口縁を挟持し前記リテーナの内側に筒体が設けられ、前記注ぎ手段が、前記筒体の周壁の長手方向に沿って形成され前記容器が前記注ぎ手段を下にして真横に転倒したとき開口面と液面が略平行となり前記周壁の長手方向両端の圧力水頭差が容器内へ外部から空気が流入しないように設定されたことを有することを特徴としている。
【０００９】
請求項２に記載の注ぎキャップは、前記筒体の周壁の周方向に沿った前記注ぎ手段の開口幅が前記容器が前記注ぎ手段を真横にして転倒したとき前記周壁の幅方向両端の圧力水頭差が液体の表面張力より小さくなるように設定され、少なくとも容器内へ外部から空気が流入しないように設定されたことを特徴としている。
【００１０】
請求項３に記載の注ぎキャップは、前記注ぎ手段が、前記筒体の周壁の長手方向に沿って開口された長孔で構成されたことを特徴としている。
【００１１】
請求項４に記載の注ぎキャップは、前記注ぎ手段が、前記筒体の周壁の長手方向に沿って穿設された少なくとも２つ以上の孔からなる開口から構成されたことを特徴としている。
【００１２】
【作用】
請求項１に記載の注ぎキャップでは、キャップの外周部に設けられた筒状のスカートと、スカートの内側に配設され吐出口内へ延出する環状のリテーナが容器の開口縁を挟持し、リテーナの内側に筒体が設けられ、吐出口を閉塞する。この筒体の周壁には、注ぎ手段が開口されており、この注ぎ手段を通して内容液が外部へ流出されるようになっている。このリテーナとスカートによって、注ぎキャップを一般的な容器の吐出口に密閉状態で取付けることができる。
【００１３】
次に、容器が注ぎ手段を下側にして真横に転倒すると、内容液が注ぎ手段へ流れ込むが、注ぎ手段は、開口面と液面が略平行となり筒体の周壁の長手方向の両端における圧力水頭差が容器内へ外部から空気が流入しないように設定されている。
【００１４】
容器内へ空気が流入しないとは、容器の内圧と注ぎ手段の圧力水頭の合計が大気圧と等しく、注ぎ手段の両端における圧力水頭差が０の場合と、周壁の長手方向の両端で圧力水頭差はあるが、注ぎ手段における内容液の表面張力より小さくなるように設定されているという２つの意味を持っている。
【００１５】
これによって、容器が転倒しても注ぎ手段から空気が容器内へ流入しないので、注ぎ手段から内容液が流出することがない。
【００１６】
また、容器から内容液を流出させるときは、容器を手に持って傾けると、注ぎ手段の長手方向両端における圧力水頭差が表面張力より大きくなって、圧力水頭の小さい方から空気が容器内へ流入し、圧力水頭の高い方から内容液が外部へ流出する。
【００１７】
このように、筒体の周壁の長手方向に沿って注ぎ手段を設けることで、容器の形状に左右されずに、溢れ防止機能を発揮させることができる。
【００１８】
請求項２に記載の注ぎキャップでは、筒体の周壁の周方向における注ぎ手段の開口幅が、容器が注ぎ手段を真横にして転倒したとき前記周壁の幅方向両端の圧力水頭差が液体の表面張力より小さくなるように設定されている。
【００１９】
すなわち、円筒状の容器では、転倒したときに転がって、注ぎ手段が上下方向の中間に位置することがある。このとき、注ぎ手段の開口幅が必要以上に大きいと、幅方向両端の圧力水頭差が内容液の表面張力より大きくなり、注ぎ手段から内容液が溢れる恐れがある。
【００２０】
このため、幅方向両端の圧力水頭差が内容液の表面張力より大きくならないように、注ぎ手段の開口幅が、容器が転倒したとき前記周壁の幅方向両端の圧力水頭差が液体の表面張力より小さくなるように設定され、どのように転倒しても内容液が溢れないようになっている。
【００２１】
請求項３に記載の注ぎキャップでは、注ぎ手段が、筒体の周壁の長手方向に沿って穿設された長孔で構成されている。このように、注ぎ手段を長孔とすることで、長孔の孔壁を若干凹設させ、液垂れを防止する機能を持たせることもできる。
【００２２】
請求項４に記載の注ぎキャップでは、注ぎ手段が、筒体の周壁の長手方向に沿って穿設された少なくとも２つ以上の孔からなる開口から構成されている。これによって、実質的に空気が流入し、また、内容液が流出する部分だけ孔を穿設すればよいので、容器中の内容液が空気に触れる面積が小さくなり、内容液の鮮度を保つことができる。
以上
【００２３】
【実施例】
図１及び図２に示すように、第１実施例に係る注ぎキャップ１０は、円筒状の容器１２の吐出口１４へ装着されるようになっている。
【００２４】
この吐出口１４の外周部には、栓が螺合可能な雄ねじ部１６が形成されており、また、吐出口１４の開口縁には、利用者の安全を考慮して丸みを帯びた肉厚部１８が形成されている。
【００２５】
図２に示すように、この雄ねじ部１６へ、注ぎキャップ１０の外周部に設けられた筒状のスカート２０の先端が嵌まり込むようになっている。また、同時に、スカート２０の内側に配設され吐出口１４の中へ延出する環状のリテーナ２２が、スカート２０との間に、肉厚部１８を挟持するようになっている。
【００２６】
このリテーナ２２とスカート２０によって、注ぎキャップ１０を一般的な容器の吐出口に密閉状態で取付けることができる。
【００２７】
一方、リテーナ２２の内側には、容器１２側に底壁２６を有し、上方が開口された筒体２４が形成されている。この筒体２４の周壁２８は、底壁２６に向かって接近し合う方向へ傾斜している（図３参照）。
【００２８】
また、周壁２８には、長手方向に沿って長孔３０が底壁２６から開口付近に渡って形成されている。図４に示すように、この長孔３０を通して、周壁２８の外周面に回り込んだ液体が容器１２から流出するようになっている。この長孔３０から流出した液体は、筒体２４の開口縁から立設された筒状の注ぎ口３２を通じて、外部へ流れるようになっている。この注ぎ口３２の口縁は、外方にめくられるように湾曲しており、液垂れを防止するようになっている。また、長孔３０の両端も円形に加工されており、長孔３０から流出する液体の液垂れも防止されている。
【００２９】
なお、図８に示すように、非使用時には、長孔３０を密閉する蓋３１を取付けておき、蓋３１の外周縁を薄肉として、プルリング３３で必要なときに、長孔３０を開口するようにしてもよい。これによって、液体の鮮度を保持することができる。
【００３０】
次に、本実施例に係る注ぎキャップ１０の作用を説明する。
図３に示すように、容器１２が長孔３０を下にして転倒すると、長孔３０の開口面と液面が略平行となって、液体が長孔３０の下側へ回り込む。
【００３１】
このとき、長孔３０の下端側（底壁２６側）の圧力水頭Ｈ１  と、下端側（筒体２４の開口側）圧力水頭Ｈ２  との圧力水頭差はΔｈとなる。また、ここで、大気圧（Ｐ）＝内圧（Ｐ’）＋（Ｈ１  ＋Ｈ２  ）／２の関係が成立している。
【００３２】
従って、空気が圧力水頭の低い長孔３０の下側から浸入し、液体が圧力水頭の高い長孔３０の上端側から流出しようとするが、圧力水頭Ｈ１  と圧力水頭Ｈ２  との圧力水頭差Δｈが液体の表面張力以下となるように、周壁２８が傾斜しているので、液体は長孔３０から流出しない。
【００３３】
なお、本実施例において、周壁２８を傾斜させ長孔３０の両端で圧力水頭差が生じるようにしたのは、図４に示すように、容器１２を傾ける割合が小さくても、長孔３０から液体が流出し易いように考慮したもので、周壁２８を傾斜させず、容器１２が転倒したとき、長孔３０の両端に圧力水頭差が生じないようにすることもできる。
【００３４】
しかしながら、使い勝手を考えると、液体の有する表面張力を利用して、容器１２が転倒したときに、長孔３０の両端で圧力水頭差が生じるようにした方が好ましい。
【００３５】
一方、図５に示すように、容器１２が長孔３０を真横にして転倒すると、今度は、長孔３０の孔幅方向の上下端で圧力水頭差Δｈが生じ、下端の方から液体が流出しようとする。
【００３６】
このときも、圧力水頭差Δｈは、液体の表面張力より小さくなるように設定されているので、長孔３０から液体が流出しない。この長孔３０の孔幅は、液体の種類によって実験的に設定されるものであるが、一例として、水の場合、孔幅が４ｍｍ程度であれば、長孔３０から水が流出しないことが実験によって判明している。
【００３７】
次に、図４に示すように、容器１２を手に持って傾けると、長孔３０の上端と下端との圧力水頭差がΔｈ１  ＞Δｈとなって、表面張力より大きくなる。この結果、圧力水頭の低い長孔３０の下端側から空気が容器１２内へ浸入し、上端側から液体が流れ出る。
【００３８】
なお、本実施例では、注ぎ手段として周壁２８に長孔３０を形成したが、容器１２を傾けたときに容器の長手方向に圧力水頭差が生じるものであれば、形状は特に限定されず、図６に示す注ぎキャップ２９のように、周壁２８の長手方向の両端に円孔３４、３６を穿設したものでもよい。
【００３９】
さらに、筒体２４を、容器１２の吐出口１４の中へ必ずしも挿入する必要はなく、図７に示すように、外側へ突出し頂面３９を有する筒体３８が形成された注ぎキャップ４０でもよい。
【００４０】
【発明の効果】
本発明は上記構成としたので、容器の形状に左右されずに、容器転倒時の液溢れを防止でき、かつ、軽く傾けるだけで内容液を流出させることができる。
【図面の簡単な説明】
【図１】本実施例に係る注ぎキャップを容器に取付ける前の状態を示した斜視図である。
【図２】本実施例に係る注ぎキャップを容器に取付けた状態を示した斜視図である。
【図３】本実施例に係る注ぎキャップを取付けた容器が転倒した状態を示した正断面図である。
【図４】本実施例に係る注ぎキャップから内容液が流出している状態を示した正断面図である。
【図５】本実施例に係る注ぎキャップを取付けた容器が転倒した状態を示した側断面図である。
【図６】本実施例に係る注ぎキャップの変形例を示した斜視図である。
【図７】本実施例に係る注ぎキャップの変形例を示した断面図である。
【図８】本実施例に係る注ぎキャップの長孔に開封可能な密閉蓋を取付けた状態を示した斜視図である。
【図９】従来の注ぎキャップを容器に取付ける前の状態を示した斜視図である。
【図１０】従来の注ぎキャップを取付けた容器が転倒した状態を示した正断面図である。
【図１１】従来の注ぎキャップから内容液が流出している状態を示した正断面図である。
【符号の説明】
２４    筒体
２６    周壁
３０    長孔（注ぎ手段）
３４    孔（注ぎ手段）
３６    孔（注ぎ手段）
【図１】
0003563443.tif 000002
【図２】
0003563443.tif 000003
【図３】
0003563443.tif 000004
【図４】
0003563443.tif 000005
【図５】
0003563443.tif 000006
【図６】
0003563443.tif 000007
【図７】
0003563443.tif 000008
【図８】
0003563443.tif 000009
【図９】
0003563443.tif 000010
【図１０】
0003563443.tif 000011
【図１１】
0003563443.tif 000012